(57)【要約】      （修正有）【課題】通信端末間で画像を共有するための機能を複数起動させたときに、一方の機能により表示される画像が、他方の機能による表示の制御に伴って視認し難くなることを防ぐことができる通信端末、通信システム、通信制御方法及びプログラムを提供する。【解決手段】電子黒板２ｃの通信制御部は、電子黒板２ａのサーバ部を介した電子黒板２ｂとの間の通信を制御する。電子黒板２ｃの通信制御部は、ＰＣ８との間の通信を制御する。電子黒板２ｃの重畳部は、電子黒板２ａのサーバ部によって配信されるコンテンツデータに基づく画像の表示を制御する。電子黒板２ｃの通信制御部は、取得部によって取得されるコンテンツデータを電子黒板２ａのサーバ部へ送信する。【選択図】図１
2019079566.tif 000002
【特許請求の範囲】
【請求項１】
配信サーバを介した第１の通信端末との間の通信を制御する第１の通信制御手段と、
第２の通信端末との間の通信を制御する第２の通信制御手段と、
前記第２の通信制御手段による通信において前記第２の通信端末との間で送信されるコンテンツデータを取得する取得手段と、
前記配信サーバによって配信されるコンテンツデータに基づく画像の表示を制御する表示制御手段と、を有しており、
前記第１の通信制御手段は、前記取得手段によって取得される前記コンテンツデータを前記配信サーバへ送信することを特徴とする通信端末。
【請求項２】
前記配信サーバによって配信されるコンテンツデータは、前記第１の通信端末によって送信される第１のコンテンツデータと、前記取得手段によって取得され、前記配信サーバへ送信される第２のコンテンツデータとを含んでおり、
前記表示制御手段は、前記第１のコンテンツデータ及び前記第２のコンテンツデータを重畳して表示する制御を行うことを特徴とする請求項１に記載の通信端末。
【請求項３】
前記第１のコンテンツデータ及び前記第２のコンテンツデータは、ストロークデータであることを特徴とする請求項２に記載の通信端末。
【請求項４】
前記第１のコンテンツデータ、及び前記第２のコンテンツデータは異なるコンテンツデータであり、
前記第２のコンテンツデータを、前記第１の通信制御手段による通信において送信可能な形式に変換する変換手段を有することを特徴とする請求項２に記載の通信端末。
【請求項５】
前記第２のコンテンツデータは映像データであり、
前記第２の通信制御手段による通信において前記第２の通信端末との間で送信される映像データを、前記第１の通信制御手段による通信において送信可能な複数の静止画データに変換する変換手段を有することを特徴とする請求項４に記載の通信端末。
【請求項６】
前記配信サーバへ送信するコンテンツデータを直列化する直列化手段と、
前記配信サーバにより配信されるコンテンツデータを並列化する並列化手段と、
を有することを特徴とする請求項１乃至５のいずれか一項に記載の通信端末。
【請求項７】
前記第２の通信制御手段は、前記配信サーバによって配信される前記コンテンツデータを前記第２の通信端末へ送信することを特徴とする請求項１乃至６のいずれか一項に記載の通信端末。
【請求項８】
請求項１乃至７のいずれか一項に記載の通信端末と、
前記第１の通信端末と、
前記第２の通信端末と、
前記配信サーバと、
を有することを特徴とする通信システム。
【請求項９】
前記第１の通信端末は、前記第１の通信制御手段を有しており、
前記第２の通信端末は、前記第２の通信制御手段を有している
ことを特徴とする請求項８に記載の通信システム。
【請求項１０】
通信端末に、
配信サーバを介した第１の通信端末との間の通信を制御する第１の通信制御処理と、
第２の通信端末との間の通信を制御する第２の通信制御処理と、
前記第２の通信制御処理による通信において前記第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信することを特徴とする通信制御方法。
【請求項１１】
通信端末に、
配信サーバを介した第１の通信端末との間の通信を制御する第１の通信制御処理と、
第２の通信端末との間の通信を制御する第２の通信制御処理と、
前記第２の通信制御処理による通信において前記第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信することを特徴とするプログラム。
【請求項１２】
通信端末に、
配信サーバを介した第１の通信端末との間の通信を制御する第１の通信制御処理と、
第２の通信制御処理による通信において第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信することを特徴とするプログラム。
【発明の詳細な説明】
【技術分野】
【０００１】
本発明は、通信端末、通信システム、通信制御方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末の有する機能に応じて、会議参加者や会議資料等の表示データや手書操作に基づくストロークデータ等のコンテンツデータを通信端末間で共有することができる。
【０００３】
また、通信ネットワークに接続する電子黒板のうちサーバ機を介して、クライアント機間でストロークデータを共有する方法が開示されている（特許文献１参照）。
【発明の概要】
【発明が解決しようとする課題】
【０００４】
通信端末において複数の機能を起動することで複数の機能を同じタイミングに実行することができる。しかしながら、通信端末間で画像を共有する機能を複数起動すると、一方の機能により表示される画像が、他方の機能による、例えば、ポップアップ等の表示の制御に伴って視認し難くなるという課題が生じる。
【課題を解決するための手段】
【０００５】
請求項１に係る発明の通信端末は、配信サーバを介した第１の通信端末との間の通信を制御する第１の通信制御手段と、第２の通信端末との間の通信を制御する第２の通信制御手段と、前記第２の通信制御手段による通信において前記第２の通信端末との間で送信されるコンテンツデータを取得する取得手段と、前記配信サーバによって配信されるコンテンツデータに基づく画像の表示を制御する表示制御手段と、を有しており、前記第１の通信制御手段は、前記取得手段によって取得される前記コンテンツデータを前記配信サーバへ送信することを特徴とする。
【発明の効果】
【０００６】
以上説明したように本発明によれば、通信端末間で画像を共有するための機能を複数起動させたときに、一方の機能により表示される画像が、他方の機能による表示の制御に伴って視認し難くなることを防ぐことが可能になるという効果を奏する。
【図面の簡単な説明】
【０００７】
【図１】図１は、一実施形態に係る通信システムの全体構成図である。
【図２】図２は、一実施形態に係る電子黒板のハードウェア構成図である。
【図３】図３は、一実施形態に係る管理システムのハードウェア構成図である。
【図４】図４は、一実施形態に係るテレビ会議端末としてのＰＣのハードウェア構成図である。
【図５】図５（ａ）は、一実施形態に係る電子黒板のソフトウェア構成図である。            図５（ｂ）は、一実施形態に係るＰＣのソフトウェア構成図である。
【図６】図６は、一実施形態に係る通信システムの一部を構成する電子黒板、及びＰＣの機能ブロック図である。
【図７】図７は、一実施形態に係る描画制御部を詳細に示した機能ブロック図である。
【図８】図８は、電子黒板又はＰＣの処理を示したシーケンス図である。
【図９】図９は、電子黒板又はＰＣの処理を示したシーケンス図である。
【図１０】図１０は、電子黒板又はＰＣの処理を示したシーケンス図である。
【図１１】図１１は、電子黒板又はＰＣの処理を示したシーケンス図である。
【図１２】図１２は、電子黒板又はＰＣの処理を示したシーケンス図である。
【図１３】図１３は、電子黒板又はＰＣの処理を示したシーケンス図である。
【図１４】図１４は、電子黒板又はＰＣの処理を示したシーケンス図である。
【図１５】図１５は、ディスプレイの表示例を示す図である。
【発明を実施するための形態】
【０００８】
以下、図面を用いて、本発明の一実施形態について説明する。
【０００９】
＜＜通信システムの全体構成＞＞
まず、図１を用いて、通信システム１について説明する。図１は、一実施形態に係る通信システムの全体構成図である。
【００１０】
通信システム１は、複数の電子黒板２ａ，２ｂ，２ｃ、ＰＣ８、中継装置３０、及び管理システム５０を有する。
【００１１】
電子黒板２ａ，２ｂ，２ｃは、通信ネットワーク９ａを介して通信可能に接続されている。また、電子黒板２ａ，２ｂ，２ｃには、それぞれディスプレイ３ａ，３ｂ，３ｃが設けられている。
【００１２】
電子黒板２ａ，２ｂ，２ｃは、電子ペン４ａ，４ｂ，４ｃによって生じたイベント（ディスプレイ３ａ，３ｂ，３ｃへの電子ペン４ａ，４ｂ，４ｃのペン先、又は、ペン尻のタッチ）により描画された画像を、ディスプレイ３ａ，３ｂ，３ｃに表示させることができる。なお、電子黒板２ａ，２ｂ，２ｃは、電子ペン４ａ，４ｂ，４ｃだけでなく、ユーザの手Ｈａ，Ｈｂ，Ｈｃ等によって生じたイベント（拡大、縮小、ページめくり等のジェスチャ）に基づいて、ディスプレイ３ａ，３ｂ，３ｃ上に表示されている画像を変更させることもできる。以下、電子黒板２ａ，２ｂ，２ｃのうち任意の電子黒板を示す場合には、電子黒板２と表す。また、ディスプレイ３ａ，３ｂ，３ｃのうち任意のディスプレイを示す場合には、ディスプレイ３と表す。また、電子ペン４ａ，４ｂ，４ｃのうち任意の電子ペンを示す場合には電子ペン４と示す。また、ユーザの手Ｈａ，Ｈｂ，Ｈｃのうち任意の手を示す場合には手Ｈと示す。
【００１３】
また、電子黒板２ａ，２ｂ，２ｃには、ＵＳＢ(Universal Serial Bus)メモリ５ａ，５ｂ，５ｃが接続可能である。電子黒板２ａ，２ｂ，２ｃはＵＳＢメモリ５ａ，５ｂ，５ｃからＰＤＦ(Portable Document Format)等の電子ファイルを読み出したり、ＵＳＢメモリ５ａ，５ｂ，５ｃに電子ファイルを記録したりすることができる。また、電子黒板２ａには、DisplayPort、DVI(Digital Visual Interface)、HDMI（登録商標）(High-Definition Multimedia Interface)およびVGA(Video Graphics Array)等の規格による通信が可能なケーブルを介して、ノートＰＣ６ａ，６ｂ，６ｃが接続されている。なお、ＵＳＢメモリ５ａ，５ｂ，５ｃのうち任意のＵＳＢメモリを示す場合にはＵＳＢメモリ５と示す。ノートＰＣ６ａ，６ｂ，６ｃのうち任意のノートＰＣを示す場合にはノートＰＣ６と示す。
【００１４】
これにより、一の拠点で電子黒板２のディスプレイ３上に描画されたストロークのストロークデータは、通信ネットワーク９ａを介して他の拠点で電子黒板２へ送信されることで、他の拠点のディスプレイ３上にも表示される。逆に他の拠点で電子黒板２のディスプレイ３上に描画されたストロークのストロークデータは、通信ネットワーク９ａを介して一の拠点の電子黒板２へ送信されることで、一の拠点の電子黒板２のディスプレイ３上に表示される。このように、通信システム１では、遠隔地において同じ画像を共有する遠隔共有処理を行うことができるため、遠隔地での会議等に用いると、非常に便利である。
【００１５】
なお、上記の電子黒板２に加えて、電子黒板以外の他の通信端末が通信ネットワーク９ａに接続することで、通信ネットワーク９ａを介して他の通信端末が電子黒板２との間でストロークデータ共有することもできる。他の通信端末としては、ＰＣ、テレビ会議端末、タブレット、スマートフォン、電子看板（デジタルサイネージ）、スポーツや天気予報等で利用されるテレストレータ、又は、遠隔画像（映像）診断装置等の画像処理装置、携帯情報端末、デジタルビデオカメラ、デジタルカメラ、ゲーム機等の画像フレームを供給可能な端末等のコンピュータが含まれる。
【００１６】
電子黒板２ｃ、ＰＣ（Personal computer）８、中継装置３０、管理システム５０は、通信ネットワーク９ｂを介して通信可能に接続されている。
【００１７】
電子黒板２ｃ及びＰＣ８は、コンテンツデータの一例として会議資料等の表示データの送受信による通信を行なう。なお、表示データは、ディスプレイに表示可能な画像の画像データである。表示データは、動画データであっても静止画データであってもよく、動画データと静止画データの両方であってもよい。
【００１８】
中継装置３０は、電子黒板２ｃ及びＰＣ８の間で、コンテンツデータを中継する処理を行なう。管理システム５０は、電子黒板２ｃ及びＰＣ８の通信状況等を一元的に管理する。
【００１９】
なお、電子黒板２ｃ及びＰＣ８以外の他の通信端末が通信ネットワーク９ｂに接続することで、通信ネットワーク９ｂを介して他の通信端末が電子黒板２ｃ、ＰＣ８との間で表示データを共有することもできる。他の通信端末としては、テレビ会議端末、タブレット、スマートフォン、電子看板（デジタルサイネージ）、テレストレータ、又は、画像処理装置、携帯情報端末、デジタルビデオカメラ、デジタルカメラ、ゲーム機等の画像フレームを供給可能な端末等のコンピュータが含まれる。
【００２０】
なお、電子黒板２ｃは、ストロークデータを共有するためのモジュール、及び表示データを共有するためのモジュールの双方を起動することで、通信端末間でストロークデータ及び表示データの両方を同時に共有することができる。
【００２１】
一実施形態によると、通信ネットワーク９ａはイントラネットであり，通信ネットワーク９ｂはインターネットである。ただし、通信ネットワーク９ａ，９ｂは、各通信端末のプロトコルに応じて、インターネット、ＬＡＮ(Local Area Network)、イントラネット、又は携帯電話網等の任意の通信ネットワークから選択される。また、通信ネットワーク９ａ，９ｂは、共にインターネットである場合のように同じ通信ネットワークであっても良い。
【００２２】
また、一実施形態では、記録媒体の一例として、ＵＳＢメモリを説明するが、これに限るものではなく、記録媒体の他の例として、ＳＤカード等の各種記録メディアであってもよい。
【００２３】
＜電子黒板のハードウェア構成＞
図２を用いて、一実施形態に係る電子黒板のハードウェア構成を説明する。なお、図２は、一実施形態に係る電子黒板のハードウェア構成図である。
【００２４】
図２に示されているように、電子黒板２は、電子黒板２全体の動作を制御するＣＰＵ(Central Processing Unit)２０１、ＩＰＬ等のＣＰＵ２０１の駆動に用いられるプログラムを記憶したＲＯＭ２０２、ＣＰＵ２０１のワークエリアとして使用されるＲＡＭ２０３、電子黒板用のプログラム等の各種データを記憶するＳＳＤ２０４、通信ネットワーク９との通信を制御するネットワークコントローラ２０５、および、ＵＳＢメモリ５との通信を制御する外部記憶コントローラ２０６を備えている。さらに、電子黒板２は、ＣＰＵ２０１の制御に従って被写体を撮像するカメラ２０７と、このカメラ２０７の駆動を制御する撮像素子Ｉ／Ｆ２０８と、ノートＰＣ６のディスプレイに対して映像情報を静止画または動画として表示させるキャプチャデバイス２１１、グラフィクスを専門に扱うＧＰＵ(Graphics Processing Unit)２１２、および、ＧＰＵからの出力画像をディスプレイ３へ出力するために画面表示の制御および管理を行うディスプレイコントローラ２１３を備えている。さらに、電子黒板２は、接触センサ２１５の処理を制御するセンサコントローラ２１４、ディスプレイ３上に電子ペン４やユーザの手Ｈ等が接触したことを検知する接触センサ２１５を備えている。一実施形態における、接触センサ２１５は、赤外線遮断方式による座標の入力および座標の検出を行う。この座標の入力および座標を検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ２１５は、物体によって遮断された２つの受発光装置が放射した赤外線のＩＤ(Identification)をセンサコントローラ２１４に出力し、センサコントローラ２１４が、物体の接触位置である座標位置を特定する。なお、以下に示す全ての各ＩＤは、識別情報の一例である。
【００２５】
また、接触センサ２１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、接触センサ２１５は、カメラを用いて、接触を判断し、座標位置を特定するものであっても良い。
【００２６】
また、電子黒板２は、電子ペンコントローラ２１６を備えている。この電子ペンコントローラ２１６は、電子ペン４と通信することで、ディスプレイ３へのペン先のタッチやペン尻のタッチの有無を判断する。なお、電子ペンコントローラ２１６が、電子ペン４のペン先およびペン尻だけでなく、電子ペン４のユーザが握る部分や、その他の電子ペンの部分のタッチの有無を判断するようにしてもよい。
【００２７】
さらに、電子黒板２は、音声を入力するマイク２２２と、音声を出力するスピーカ２２３と、ＣＰＵ１０１の制御に従ってマイク２２２およびスピーカ２２３との間で音信号の入出力を処理する音入出力Ｉ／Ｆ２２４と、ユーザの操作を受け付ける操作ボタン２２５と、電子黒板２の電源のＯＮ／ＯＦＦを切り換えるための電源スイッチ２２６と、を備えている。
【００２８】
さらに、電子黒板２は、上記各構成要素間を相互に電気的に接続するためのアドレスバスやデータバス等のバスライン２３０を備えている。
【００２９】
なお、電子黒板用のプログラムは、ＣＤ−ＲＯＭ等のコンピュータで読み取り可能な記録媒体や、ネットワーク上のサーバに記録して流通やダウンロードさせるようにしてもよい。
【００３０】
＜管理システムのハードウェア構成＞
図３を用いて、一実施形態に係る管理システムのハードウェア構成を説明する。なお、図３は、一実施形態に係る管理システムのハードウェア構成図である。
【００３１】
管理システム５０は、管理システム５０全体の動作を制御するＣＰＵ５０１と、伝送管理用プログラムを記憶したＲＯＭ５０２と、ＣＰＵ５０１のワークエリアとして使用されるＲＡＭ５０３と、各種データを記憶するＨＤ(Hard Disk)５０４と、ＣＰＵ５０１の制御に従ってＨＤ５０４に対する各種データの読み出しおよび書き込みを制御するＨＤＤ５０５と、フラッシュメモリ等の記録メディア５０６に対するデータの読み出しおよび書き込み（記憶）を制御するメディアＩ／Ｆ５０７とを備えている。さらに、管理システム５０は、カーソル、メニュー、ウィンドウ、文字、画像等の各種情報をディスプレイ５１６に表示させるためのディスプレイＩ／Ｆ５０８と、通信ネットワーク９を利用してデータ伝送をするためのネットワークＩ／Ｆ５０９と、文字、数値、各種指示等を入力するための複数のキーを備えたキーボード５１１と、各種指示の選択や実行、処理対象の選択、マウスカーソルなどのポインティングデバイスの移動等を行うマウス５１２とを備えている。さらに、管理システム５０は、着脱可能な記録媒体の一例としてのＣＤ−ＲＯＭ(Compact Disc Read Only Memory)５１３に対するデータの読み出しおよび書き込みを制御するＣＤ−ＲＯＭドライブ５１４と、外部の装置との間で情報を送受信するための外部装置Ｉ／Ｆ５１５と、上記各構成要素間を相互に電気的に接続するためのアドレスバスやデータバス等のバスライン５１０とを備えている。
【００３２】
また、上記伝送管理用プログラムは、インストール可能な形式または実行可能な形式のファイルで、上記記録メディア５０６やＣＤ−ＲＯＭ５１３等のコンピュータで読み取り可能な記録媒体に記録して流通させるようにしてもよい。上記伝送管理用プログラムはＨＤ５０４に記憶されていてもよい。
【００３３】
＜ＰＣのハードウェア構成＞
図４は、一実施形態に係るテレビ会議端末としてのＰＣ８のハードウェア構成図である。ＰＣ８は、ＣＰＵ８０１、ＲＯＭ８０２、ＲＡＭ８０３、フラッシュメモリ８０４、ＳＳＤ８０５、メディアＩ／Ｆ８０７、電源スイッチ８０９、バスライン８１０、ネットワークＩ／Ｆ８１１、カメラ８１２、撮像素子Ｉ／Ｆ８１３、マイク８１４、スピーカ８１５、音入出力Ｉ／Ｆ８１６、ディスプレイＩ／Ｆ８１７、外部機器接続Ｉ／Ｆ８１８、キーボード８２１、及びマウス８２２を備えている。これらのうち、ＣＰＵ８０１は、ＰＣ８全体の動作を制御する。ＲＯＭ(Read Only Memory)８０２は、ＩＰＬ(Initial Program Loader)等のＣＰＵ８０１の駆動に用いられるプログラムを記憶する。ＲＡＭ(Random Access Memory)８０３は、ＣＰＵ８０１のワークエリアとして使用される。フラッシュメモリ８０４は、通信用プログラム、表示データ、及び音データ等の各種データを記憶する。
ＳＳＤ（Solid State Drive）８０５は、ＣＰＵ８０１の制御にしたがってフラッシュメモリ８０４に対する各種データの読み出し又は書き込みを制御する。なお、ＳＳＤに代えてＨＤＤを用いてもよい。メディアＩ／Ｆ８０７は、フラッシュメモリ等の記録メディア８０６に対するデータの読み出し又は書き込み（記憶）を制御する。
【００３４】
また、ネットワークＩ／Ｆ(Interface)８１１は、通信ネットワーク９ｂを利用してデータ通信をするためのインターフェースである。カメラ８１２は、ＣＰＵ８０１の制御に従って被写体を撮像して表示データを得る内蔵型の撮像手段の一種である。撮像素子Ｉ／Ｆ８１３は、カメラ８１２の駆動を制御する回路である。マイク８１４は、音声を入力する内蔵型の集音手段の一種である。音入出力Ｉ／Ｆ８１６は、ＣＰＵ８０１の制御に従ってマイク８１４及びスピーカ８１５との間で音信号の入出力を処理する回路である。ディスプレイＩ／Ｆ８１７は、ＣＰＵ８０１の制御に従って外付けのディスプレイ８２０に表示データを送信する回路である。外部機器接続Ｉ／Ｆ８１８は、各種の外部機器を接続するためのインターフェースである。キーボード８２１は、文字、数値、各種指示等を入力するための複数のキーを備えている。マウス８２２は、各種指示の選択や実行、処理対象の選択、マウスカーソルなどのポインティングデバイスの移動等を行う。
【００３５】
また、バスライン８１０は、ＣＰＵ８０１等の図４に示されている各構成要素を電気的に接続するためのアドレスバスやデータバス等である。
【００３６】
ディスプレイ８２０は、被写体の画像や操作用アイコン等を表示する液晶や有機ＥＬによって構成された表示手段の一種である。また、ディスプレイ８２０は、ケーブル８２０ｃによってディスプレイＩ／Ｆ８１７に接続される。このケーブル８２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００３７】
なお、カメラ８１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ８１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ８０１の制御に従って、内蔵型のカメラ８１２に優先して、外付けカメラが駆動する。同じく、外付けマイクが接続された場合や、外付けスピーカが接続された場合には、ＣＰＵ８０１の制御に従って、それぞれが内蔵型のマイク８１４や内蔵型のスピーカ８１５に優先して、外付けマイクや外付けスピーカが駆動する。
【００３８】
また、記録メディア８０６は、ＰＣ８に対して着脱自在な構成となっている。また、ＣＰＵ８０１の制御にしたがってデータの読み出し又は書き込みを行う不揮発性メモリであれば、フラッシュメモリ８０４に限らず、ＥＥＰＲＯＭ（Electrically Erasable and Programmable ROM）等を用いてもよい。
【００３９】
＜ソフトウェア構成＞
図５（ａ）は、一実施形態に係る電子黒板のソフトウェア構成図である。図５（ａ）に示されているように、ＯＳ(Operating System)２０２０、通信アプリケーションＡ１１、及び通信アプリケーションＢ１０は、ＲＡＭ２０３の作業領域２０１０上で動作する。以後、アプリケーションは、「アプリ」と表す。
【００４０】
ＯＳ２０２０は、基本的な機能を提供し、電子黒板全体を管理する基本ソフトウェアである。通信アプリＡ１１，Ｂ１０は、他の端末と通信を行うためのアプリであり、それぞれ通信プロトコルが異なる。通信アプリＡ１１は、ストロークデータを他の通信端末との間で送信するための通信制御機能と、ストロークデータを画像として出力するための画像処理機能を電子黒板２に実行させる。一方、通信アプリＢ１０は、テレビ会議資料等の表示データを他の通信端末との間で送信するための通信制御機能を電子黒板２に実行させる。一方で、通信アプリＢ１０は、表示データを出力するための画像処理機能を有していない。通信アプリＢ１０は、例えば、表示データに係る通信制御機能及び画像処理機能を共に有する通信アプリＢ１１から、ソフトウェア開発キットを用いて画像処理機能を除いたものであっても良い。
【００４１】
ＯＳ２０２０、及び、通信アプリＡ１１は、工場出荷前から、電子黒板２にインストールされている。また、通信アプリＢ１０は、工場出荷後に、任意に電子黒板２にインストール可能である。以下、電子黒板２ｃに通信アプリＢ１０がインストールされており、電子黒板２ａ，ａｂに通信アプリＢ１０がインストールされていないものとして説明を続ける。
【００４２】
図５（ｂ）は、一実施形態に係るＰＣのソフトウェア構成図である。図５（ｂ）に示されているように、ＯＳ８０２０、通信アプリＢ１１は、ＲＡＭ８０３の作業領域８０１０上で動作する。
【００４３】
ＯＳ８０２０は、基本的な機能を提供し、ＰＣ８全体を管理する基本ソフトウェアである。通信アプリＢ１１は、会議資料等の表示データを他の通信端末との間で送信するための通信制御機能と、表示データを画像として出力するための画像処理機能と、をＰＣ８に実行させる。
【００４４】
また、ＯＳ８０２０、及び、通信アプリＢ１１は、工場出荷前又は工場出荷後に、ＰＣ８にインストールされる。
【００４５】
＜＜実施形態の機能構成＞＞
次に、一実施形態に係る通信システムの機能構成について説明する。図６は、一実施形態に係る通信システムの一部を構成する電子黒板、及びＰＣの機能ブロック図である。図６では、電子黒板２ａ，２ｂ，２ｃが、通信ネットワーク９ａを介してデータ通信することができるように接続されている。また、図６では、電子黒板２ｃ及びＰＣ８が、通信ネットワーク９ｂを介してデータ通信することができるように接続されている。
【００４６】
電子黒板２は、図２に示されているハードウェア構成およびプログラムによって、図６に示されている各機能構成を実現する。また、電子黒板２は、ＳＳＤ２０４により構築される記憶部２０００を有している。ＰＣ８は、図４に示されているハードウェア構成およびプログラムによって、図６に示されている各機能構成を実現する。また、ＰＣ８は、ＳＳＤ８０５により構築される記憶部８０００を有している。
【００４７】
電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０およびサーバ部９０の両方によって構成されている。クライアント部２０およびサーバ部９０は、電子黒板２の１台の筐体内で通信アプリＡ１１が起動することで実現される機能である。なお、クライアント部２０およびサーバ部９０のうち、電子黒板２にクライアント部２０を備え、サーバ部９０を配信制御装置などの電子黒板２とは異なる装置とするようにしてもよい。
【００４８】
電子黒板２が主催装置となる場合には、この電子黒板２では、クライアント部２０とサーバ部９０が実現（実行）される。また、電子黒板２が参加装置となる場合には、この電子黒板２では、クライアント部２０は実現（実行）されるが、サーバ部９０は実現（実行）されない。即ち、電子黒板２ａが主催装置で、電子黒板２ｂ，２ｃが参加装置となる場合、電子黒板２ａのクライアント部２０は、同じ電子黒板２ａ内に実現されたサーバ部９０を介して、他の電子黒板２ｂ,２ｃのクライアント部２０と通信を行う。一方、電子黒板２ｂ，２ｃのクライアント部２０は、他の電子黒板２ａ内に実現されたサーバ部９０を介して、他の電子黒板２ａ，２ｂ又は２ｃのクライアント部と通信を行う。
【００４９】
また、電子黒板２ｂ及びＰＣ８では、通信アプリＢ１０，Ｂ１１が起動することでクライアント部８０が実現される。クライアント部８０は、サーバとしての管理システム５０の呼制御により確立される通信において、中継装置３０を介して他の通信端末のクライアント部８０と通信を行う。
【００５０】
〔クライアント部２０の機能構成〕
クライアント部２０は、通信制御部２１及び描画制御部２２を有する。
【００５１】
通信制御部２１は、ＣＰＵ２０１からの命令、或いはネットワークコントローラ２０５によって実現され、通信ネットワーク９ａを介して、他の電子黒板２と行う通信や、サーバ部９０における後述の通信制御部９１と行う通信を制御する。
【００５２】
描画制御部２２は、ＣＰＵ２０１からの命令により実現され、ディスプレイ３上の操作により生成するストロークデータ、或いはＵＳＢメモリ５、ノートＰＣ６、通信制御部２１、記憶部２０００等から取得されるデータに基づいて画像処理を行う。また、描画制御部２２は、処理されたデータに基づいて画像レイヤを生成し、これらが重畳された重畳画像を出力する制御を行う。
【００５３】
図７は、一実施形態に係る描画制御部を詳細に示した機能ブロック図である。描画制御部２２は、ストローク処理部２２Ａ、取得部２２Ｂ、変換部２２Ｘ、重畳部２２Ｙ、及びページ処理部２２Ｚを有している。
【００５４】
ストローク処理部２２Ａは、ＣＰＵ２０１からの命令によって実現され、ディスプレイ３上の電子ペン４や手Ｈの操作によってストローク描画のイベントが発生すると、操作に応じたストロークデータを生成する処理を行う。
【００５５】
取得部２２Ｂは、ＣＰＵ２０１からの命令によって実現され、記憶部２０００に記憶されたデータを取得する。
【００５６】
変換部２２Ｘは、ＣＰＵ２０１からの命令によって実現され、各種データを変換する処理を行う。この変換には、テキスト化、実データ（バイナリ）変換、シリアライズ、デシリアライズ、エンコード、デコード等が含まれていても良い。
【００５７】
重畳部２２Ｙは、ＣＰＵ２０１からの命令によって実現され、各データに基づいて各画像レイヤを生成し、これらを重畳する処理を行う。
【００５８】
ページ処理部２２Ｚは、ストロークデータと表示データを１つのページデータにまとめて、記憶部２０００の一部であるページデータ記憶部２２０に記憶する。
【００５９】
ページデータ記憶部２２０は、記憶部２０００の一部に構築され、表１に示されているようなページデータを記憶する。表１は、ページデータを示す概念図である。ページデータは、ディスプレイ３に表示される１ページ分のデータ（ストローク配列データ（各ストロークデータ）及びメディアデータ）である。
【００６０】
【表１】
2019079566.tif 000003
【００６１】
ページデータは、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、ストローク画像がディスプレイ３上に表示されるためのデータである。メディアデータは、ストローク画像と重畳する他の画像がディスプレイ３上に表示されるためのデータである。
【００６２】
また、ストローク配列データは、表２に示されているように詳細な情報を示している。表２は、ストローク配列データを示す概念図である。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６３】
【表２】
2019079566.tif 000004
【００６４】
更に、この座標配列データは、表３に示されているように詳細な情報を示している。表３は、座標配列データを示す概念図である。座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６５】
【表３】
2019079566.tif 000005
【００６６】
また、表１に示されているページデータのうちのメディアデータは、表４に示されているように詳細な情報を示している。表４は、メディアデータを示す概念図である。図９に示されているように、メディアデータは、表１に示されているページデータにおけるメディアデータＩＤ、メディアデータのデータ種類、メディアデータが記憶された記録時刻、メディアデータによってディスプレイ３上に表示される画像の位置（Ｘ座標値、Ｙ座標値）及び画像のサイズ（幅、高さ）、並びにメディアデータの内容を示すデータが関連付けられて示されている。このうち、メディアデータによってディスプレイ３上に表示される画像の位置は、ディスプレイ３の左上端の座標を（Ｘ座標値，Ｙ座標値）＝（０，０）とした場合に、メディアデータによって表示される画像の左上端の位置を示している。
【００６７】
【表４】
2019079566.tif 000006
【００６８】
〔サーバ部９０の機能構成〕
サーバ部９０は、通信制御部９１を有している。
【００６９】
通信制御部９１は、ＣＰＵ２０１からの命令により実現され、同じ電子黒板２内のクライアント部２０における通信制御部２１、および通信ネットワーク９ａを介して他の電子黒板２内のクライアント部２０における通信制御部２１との間における通信を制御する。
【００７０】
〔クライアント部８０の機能構成〕
クライアント部８０の通信制御部８１は、ＣＰＵ２０１，８０１からの命令、或いはネットワークコントローラ２０５又はネットワークＩ／Ｆ８１１により実現され、他の通信端末のクライアント部８０における通信制御部８１との間の通信を制御する。
【００７１】
クライアント部８０の表示制御部８２は、通信アプリＢ１１を起動することで、ＣＰＵ８０１からの命令により実現される機能である。表示制御部８２は、通信制御部２１、記憶部８０００等から取得されるデータに基づいて画像処理を行い、画像を出力する制御を行う。
【００７２】
＜＜実施の形態の処理又は動作＞＞
続いて、図８乃至図１１を用いて、一実施形態に係る処理又は動作について説明する。
なお、図８乃至図１１は、電子黒板又はＰＣの処理を示したシーケンス図である。
【００７３】
（電子黒板間の通信確立処理）
図８を用いて、電子黒板２ａ，２ｂ，２ｃ間の通信アプリＡ１１による通信を確立する処理について説明する。ユーザが電子黒板２ａの電源スイッチ２２６をオンにすると、通信アプリＡ１１が起動することで電子黒板２ａのクライアント部２０の処理が開始する（ステップＳ１）。そして、ディスプレイ３ａ上の操作により会議主催の要求が受け付けられると、クライアント部２０の通信制御部２１から同じ電子黒板２ａのサーバ部９０における通信制御部９１に、サーバ部９０の処理を開始させる指示を出力する。これにより、電子黒板２ａでは、クライアント部２０だけでなくサーバ部９０も各種処理を開始可能となる（ステップＳ２）。
【００７４】
次に、電子黒板２ａの通信制御部９１が電子黒板２ａとの接続を確立するための接続情報を生成し、クライアント部２０が生成された接続情報をディスプレイ３ａに表示させる（ステップＳ３）。この接続情報には、主催装置のＩＰアドレス、および今回の遠隔共有処理のために生成されたパスコードが含まれている。このパスコードは、記憶部２０００に記憶される。そして、接続情報は、電子黒板２ａのユーザによって、電話や電子メールにより、電子黒板２ｂ，２ｃのユーザに伝えられる。
【００７５】
次に、電子黒板２ｂ，２ｃでは、ユーザが電子黒板２ｂ，２ｃの電源スイッチ２２６をオンにすると、通信アプリＡ１１が起動することで電子黒板２ｂ，２ｃのクライアント部２０の処理が開始する（ステップＳ４，Ｓ５）。電子黒板２ｂ，２ｃにおいて、ディスプレイ３ｂ，３ｃ上の操作によって接続情報の入力が受け付けられると、各電子黒板２ｂ，２ｃのクライアント部２０における通信制御部２１が、接続情報のＩＰアドレスに基づき、通信ネットワーク９ａを介して、電子黒板２ａのサーバ部９０における通信制御部９１に対してパスコードを送信して参加要求を行う（ステップＳ６，Ｓ７）。電子黒板２ａの通信制御部９１は、各電子黒板２ｂ，２ｃから、参加要求（パスコードを含む）を受信する。
【００７６】
次に、通信制御部９１は、各電子黒板２ｂ，２ｃから受信したパスコードに対し、記憶部２０００で管理されているパスコードを用いて認証する（ステップＳ８）。そして、通信制御部９１が、各電子黒板２ｂ，２ｃのクライアント部２０に認証結果を通知する（ステップＳ９，Ｓ１０）。ステップＳ８の認証により、各電子黒板２ｂ，２ｃが正当な電子黒板であると判断されていた場合には、主催装置である電子黒板２ａと、参加装置である電子黒板２ｂ，２ｃとの遠隔共有処理の通信が確立される（ステップＳ１１，Ｓ１２）。
なお、本実施形態では、電子黒板２ａ，２ｂ，２ｃ間で送信されるコンテンツデータは、ストロークデータを含む場合について説明する。
【００７７】
（電子黒板とＰＣとの間の通信確立処理）
図９を用いて、電子黒板２ｃ及びＰＣ８間で通信アプリＢ１０，Ｂ１１による通信を確立する処理について説明する。
【００７８】
電子黒板２ｃのディスプレイ３ｃ上の操作により、クライアント部２０が通信アプリＢ１０の起動要求を受け付けると、クライアント部８０は各種処理を開始可能となる（ステップＳ２１）。
【００７９】
続いて、クライアント部８０の通信制御部８１は、管理システム５０に対し、ログイン要求を行う（ステップＳ２２）。これにより、管理システム５０は、ログイン要求を受信する。
【００８０】
管理システム５０は、ログイン要求元の電子黒板２ｃを認証し（ステップＳ２３）、ログイン要求元の電子黒板２ｃに対して、認証結果を送信する（ステップＳ２４）。これにより、電子黒板２ｃの通信制御部８１は、認証結果を受信する。以下、上記ステップＳ２３により、正当なログイン要求元であると判断された場合について説明を続ける。
【００８１】
ＰＣ８において、キーボード８２１あるいはマウス８２２の操作に基づいて、通信アプリＢ１１の起動要求が受け付けられると、通信アプリＢ１１が起動して、ＰＣ８のクライアント部８０の処理が開始可能となる（ステップＳ３１）。
【００８２】
続いて、クライアント部８０の通信制御部８１は、管理システム５０に対し、ログイン要求を行う（ステップＳ３２）。これにより、管理システム５０は、ログイン要求を受信する。
【００８３】
管理システム５０は、ログイン要求元のＰＣ８を認証し（ステップＳ３３）、ＰＣ８に対して、認証結果を送信する（ステップＳ３４）。以下、上記ステップＳ３３により、正当なログイン要求元であると判断された場合について説明を続ける。
【００８４】
電子黒板２ｃの通信制御部８１は、ディスプレイ３ｃ上の操作に応じて、管理システム５０に対し、通信の開始要求を行う（ステップＳ４１）。この通信の開始要求には、通信の開始要求元の電子黒板２ｃの通信ＩＤ、および宛先のＰＣ８の通信ＩＤが含まれている。これにより、管理システム５０は、通信の開始要求を受信する。なお、通信ＩＤは通信先を特定するための情報であって、通信端末の識別情報や、通信端末のユーザのアカウントが含まれる。
【００８５】
次に、管理システム５０は、宛先のＰＣ８に対して、通信の開始要求を行う（ステップＳ４２）。この通信の開始要求には、上記ステップＳ４１によって送られて来た通信の開始要求元の電子黒板２ｃの通信ＩＤおよび宛先のＰＣ８の通信ＩＤが含まれている。これにより、宛先のＰＣ８は、通信の開始要求を受信する。
【００８６】
これに対して、ＰＣ８の通信制御部８１は、ユーザによる操作入力に応じて、管理システム５０に対し、応答可否を示す情報を送信する（ステップＳ４３）。以下、ＰＣ８が、応答する旨を示す情報を管理システム５０へ送信した場合について説明を続ける。
【００８７】
これにより、管理システム５０は、応答する旨を示す情報を受信する。管理システム５０は、開始要求元の電子黒板２ｃに対し、上記ステップＳ１３によって宛先のＰＣ８から送られて来た、応答する旨を示す情報を送信する（ステップＳ４４）。これにより、電子黒板２ｃの通信制御部８１は、応答する旨を示す情報を受信する。
【００８８】
続いて、管理システム５０は、電子黒板２ｃとＰＣ８との間で通信ネットワーク９ｂを介してコンテンツデータを送信するための通信を確立させる制御を行う（ステップＳ４５）。通信を確立させる方法は、特に限定されないが、例えば、通信ネットワーク９ｂにコンテンツデータを中継する中継装置３０が設けられている場合には、この中継装置に接続するための接続情報を、管理システム５０が電子黒板２ｃ及びＰＣ８へ、送信する方法が挙げられる。また、管理システム５０は、中継装置３０へ、電子黒板２ｃとＰＣ８との間でコンテンツデータの中継開始の要求を送信してもよい。上記の制御に基づいて、電子黒板２ｃとＰＣ８との間の通信が確立される（ステップＳ４６）。これにより、電子黒板２ｃ及びＰＣ８は、通信相手との間でコンテンツデータを送受信することができるようになる。なお、本実施形態では、電子黒板２ｃ及びＰＣ８の間で送信されるコンテンツデータは、会議資料の表示データ（映像データ又は静止画データ）を含む場合について説明する。
【００８９】
（重畳画像の表示）
続いて、図１０を用いて、遠隔共有処理における重畳画像が表示される処理について説明する。
【００９０】
まず、電子黒板２ｂのユーザが電子ペン４ｂを用いて電子黒板２ｂにストローク画像を描画すると、ストローク処理部２２Ａは、電子ペン４ｂとディスプレイ３ｂとの接触部の座標位置に基づいて、描画されたストロークのストロークデータを生成する（ステップＳ６１）。なお、生成されるストロークデータは上記の表１乃至表３に示されている各パラメータを含む。変換部２２Ｘは、複数のストローク単位のストロークデータをまとめることでシリアライズ（直列化）する（ステップＳ６２）。電子黒板２ｂの通信制御部２１は、通信ネットワーク９ａを介して、主催装置である電子黒板２ａの通信制御部９１にシリアライズされたストロークデータを送信する（ステップＳ６３）。なお、電子黒板２ｂは、描画される度に、ストロークデータを主催装置である電子黒板２ａに順次送信しても良い。
【００９１】
電子黒板２ａの通信制御部９１は、電子黒板２ｂから送られて来たストロークデータを受信すると、このストロークデータを電子黒板２ａのクライアント部２０へ送信する。送信されたストロークデータは電子黒板２ａのクライアント部２０の通信制御部２１によって受信される。クライアント部２０の描画制御部２２における変換部２２Ｘは、ストロークデータをデシリアライズ（並列化）する（ステップＳ６４）。デシリアライズされたストロークデータは、ページ処理部２２Ｚによってページデータ記憶部２２０に記憶される。続いて、重畳部２２Ｙは、ページデータ記憶部２２０に記憶されているデータに基づいて、ストローク単位のデータを合成した合成後のストローク画像（Ｂ）のレイヤ、ＵＩ画像（Ａ）のレイヤ、出力画像（Ｃ）のレイヤ、及び背景画像（Ｄ）のレイヤを生成する。そして、重畳部２２Ｙは、生成した各レイヤを重畳して、重畳画像（Ａ，Ｂ，Ｃ，Ｄ）をディスプレイ３ａ上に表示させる（ステップＳ６５）。なお、ストローク画像（Ｂ）のレイヤは、上記処理によってデシリアライズされページデータ記憶部２２０に記憶されたストロークデータに基づいて生成される。出力画像（Ｃ）のレイヤは、ページデータ記憶部２２０に記憶されたメディアデータに基づいて生成される。ＵＩ画像（Ａ）のレイヤ、背景画像（Ｄ）は、予め記憶部２０００に記憶されているデータに基づいて生成される。図１５（Ａ）は、ステップＳ６５におけるディスプレイの表示例を示す図である。
【００９２】
また、電子黒板２ａの通信制御部９１は、電子黒板２ｂから送られて来たシリアライズされているストロークデータを電子黒板２ｂ，２ｃのクライアント部２０へ送信する（ステップＳ６６，Ｓ６７）。送信されたストロークデータは電子黒板２ｂ，２ｃのクライアント部２０の通信制御部２１によって受信される。電子黒板２ｂ，２ｃのクライアント部２０は、ディスプレイ３ｂ，３ｃに、電子黒板２ａから送られて来たストロークデータが含まれた重畳画像（Ａ，Ｂ，Ｃ，Ｄ）を表示する。この処理は、電子黒板２ａのクライアント部２０におけるステップＳ６４，Ｓ６５の処理と同様であるので説明を省略する（ステップＳ６８乃至Ｓ７１）。なお、電子黒板２ａ，２ｃにおいてストローク画像を描画したときの処理は、電子黒板２ｂのクライアント部２０が、電子黒板２ａ，２ｃのクライアント部２０に置き換わる点を除きステップＳ６１乃至Ｓ７１の処理と同様であるので説明を省略する。
【００９３】
（出力画像の表示）
続いて、図１１を用いて、遠隔共有処理における出力画像（Ｃ）が表示される処理について説明する。
【００９４】
ＰＣ８の表示制御部８２は、ディスプレイ８２０に表示された会議資料の画面を取り込んで表示データを取得する（ステップＳ８１）。ＰＣ８の通信制御部８１は、取得された表示データを、中継装置３０を介して、電子黒板２ｃのクライアント部８０へ送信する（ステップＳ８２）。ＰＣ８によって送信された表示データは、電子黒板２ｃの通信制御部８１によって受信される。電子黒板２ｃの通信制御部８１は、受信した表示データを記憶部２０００に記憶する。
【００９５】
電子黒板２ｃのクライアント部２０の取得部２２Ｂは、記憶部２０００に記憶されている表示データを取得する（ステップＳ８３）。電子黒板２ｃのクライアント部２０の変換部２２Ｘは、取得部２２Ｂによって取得された例えばＰＤＦファイル等の表示データを、通信アプリＡ１１によって送信可能な形式として、テキスト形式に変換する（ステップＳ８４）。変換部２２Ｘは、テキスト形式に変換された表示データをシリアライズする（ステップＳ８５）。電子黒板２ｃの通信制御部２１は、通信ネットワーク９ａを介して、主催装置である電子黒板２ａの通信制御部９１にシリアライズされた表示データを送信する（ステップＳ８６）。
【００９６】
電子黒板２ａの通信制御部９１は、電子黒板２ｃから送られて来た表示データを受信すると、この表示データを電子黒板２ａのクライアント部２０へ送信する。送信された表示データは電子黒板２ａのクライアント部２０の通信制御部２１によって受信される。クライアント部２０の描画制御部２２における変換部２２Ｘは、表示データをデシリアライズする（ステップＳ８７）。更にデシリアライズされた表示データは変換部２２Ｘによって実データ（バイナリ）に変換される。得られた実データは、ページ処理部２２Ｚによってページデータ記憶部２２０にメディアデータとして記憶される（ステップＳ８８）。続いて、重畳部２２Ｙは、ページデータ記憶部２２０に記憶されているデータに基づいて、表示データに基づく出力画像（Ｃ）のレイヤ、ストローク画像（Ｂ）のレイヤ、ＵＩ画像（Ａ）のレイヤ、及び背景画像（Ｄ）のレイヤを作成する。重畳部２２Ｙは、作成したレイヤを重畳して、重畳画像（Ａ，Ｂ，Ｃ，Ｄ）をディスプレイ３ａ上に表示させる（ステップＳ８９）。なお、出力画像（Ｃ）のレイヤは、上記処理によって実データに変換され、ページデータ記憶部２２０に記憶されたメディアデータに基づいて生成される。重畳部２２Ｙは、出力画像（Ｃ）のレイヤ上にストローク画像のレイヤ（Ｂ）を重畳することで、ストロークデータの出力を妨げることなく、表示データを出力することができる。図１５（Ｂ）は、ステップＳ８９におけるディスプレイの表示例を示す図である。
【００９７】
また、電子黒板２ａの通信制御部９１は、電子黒板２ｃから送られて来たシリアライズされた表示データを電子黒板２ｂ，２ｃのクライアント部２０へ送信する（ステップＳ９０，Ｓ９１）。送信された表示データは電子黒板２ｂ，２ｃのクライアント部２０の通信制御部２１によって受信される。電子黒板２ｂ，２ｃのクライアント部２０は、ディスプレイ３ｂ，３ｃに、電子黒板２ａから送られて来た表示データが出力画像（Ｂ）として含まれた重畳画像（Ａ，Ｂ，Ｃ，Ｄ）を表示する。この処理は、電子黒板２ａのクライアント部２０におけるステップＳ８７乃至Ｓ８９の処理と同様であるので説明を省略する（ステップＳ９２乃至Ｓ９７）
【００９８】
＜＜実施形態の変形例Ａ＞＞
続いて実施形態の変形例Ａについて上記の実施形態とは異なる点を説明する。変形例Ａでは、ＰＣ８の表示制御部８２は、マウス８２２の操作により描画されたストロークデータの表示を制御する機能を有する。
【００９９】
図１２は、電子黒板又はＰＣの処理を示したシーケンス図である。ＰＣ８のユーザがマウス８２２を用いてストローク画像を描画すると、表示制御部８２は、ストローク画像に対応するストロークデータを生成する（ステップＳ１００）。このストロークデータは上記表１乃至表３の各パラメータを含んでいる。ＰＣ８の通信制御部８１は、通信ネットワーク９ｂを介して、電子黒板２ｃのクライアント部８０へストロークデータを送信する（ステップＳ１０１）。
【０１００】
送信されたストロークデータは、電子黒板２ｃのクライアント部８０の通信制御部８１によって受信される。ストロークデータが受信される度、受信されたストロークデータは、通信制御部８１によって記憶部２０００に記憶される。電子黒板２ｃのクライアント部２０の取得部２２Ｂは、記憶部２０００に記憶されているストローク単位のストロークデータを取得する（ステップＳ１０２）。電子黒板２ｃのクライアント部２０の変換部２２Ｘは、取得部２２Ｂによって取得された複数のストローク単位のストロークデータを通信制御部２１によって送信可能な形式にシリアライズする（ステップＳ１０３）。電子黒板２ｃの通信制御部２１は、通信ネットワーク９ａを介して、主催装置である電子黒板２ａの通信制御部９１にシリアライズされたストローク画像のデータを送信する（ステップＳ１０４）。
【０１０１】
電子黒板２ａの通信制御部９１は、電子黒板２ｃから送られて来たストロークデータを受信すると、電子黒板２ａ，２ｂ，２ｃの各クライアント部２０へストロークデータを配信することで、電子黒板２ａ，２ｂ，２ｃ間でストローク画像の共有を行う。この処理は、ステップＳ６４乃至Ｓ７１の処理と同様であるので詳細な説明を省略する（ステップＳ１０５乃至Ｓ１１２）。
【０１０２】
＜＜実施形態の変形例Ｂ＞＞
続いて実施形態の変形例Ｂについて上記の実施形態とは異なる点を説明する。変形例Ｂでは、電子黒板２ｂで生成されたストロークデータをＰＣ８に送信する処理について説明する。
【０１０３】
図１３は、電子黒板又はＰＣの処理を示したシーケンス図である。上記実施形態のステップＳ６１乃至Ｓ７１の処理により、電子黒板２ｂで生成されたストロークデータは、電子黒板２ｃへ配信される。そして、電子黒板２ｃへ配信されたストロークデータは、デシリアライズされた後、クライアント部２０の通信制御部２１によって記憶部２０００に記憶される。
【０１０４】
記憶部２０００に記憶されたストロークデータは、クライアント部８０の通信制御部８１によって取得され、ＰＣ８のクライアント部８０へ送信される（ステップＳ１２１）。このストロークデータは、ＰＣ８のクライアント部８０の通信制御部８１によって受信される。受信されたストロークデータは、ＰＣ８のクライアント部８０の表示制御部８２によってディスプレイ８２０上に表示される（ステップＳ１２２）。
【０１０５】
＜＜実施形態の変形例Ｃ＞＞
続いて実施形態の変形例Ｃについて上記の実施形態とは異なる点を説明する。変形例Ｃでは、ＰＣ８と電子黒板２ｃとの間で送信される表示データが映像データである場合について説明する。
【０１０６】
図１４は、電子黒板又はＰＣの処理を示したシーケンス図である。ＰＣ８の通信制御部８１は、カメラ８１２によって撮影された会議参加者の映像データをストリーミングデータとして、電子黒板２ｃのクライアント部８０へ送信する（ステップＳ１４０）。映像データは、電子黒板２ｃの通信制御部８１によって受信される。
【０１０７】
電子黒板２ｃのクライアント部８０の通信制御部８１は受信された映像データを記憶部２０００に記憶する。電子黒板２ｃのクライアント部８０の取得部２２Ｂは、記憶部２０００に記憶された映像データを取得する（ステップＳ１４１）。電子黒板２ｃのクライアント部２０の変換部２２Ｘは、取得部２２Ｂによって取得された映像データをレンダリングすることにより、静止画データとしての各フレームデータを生成する（ステップＳ１４２）。クライアント部の変換部２２Ｘは、各フレームデータをテキスト化して（ステップＳ１４３）シリアライズ（ステップＳ１４４）する。クライアント部の通信制御部２１は、シリアライズされた各フレームデータが生成される度、生成されたフレームデータを表示データとして電子黒板２ａのサーバ部９０へ送信する（ステップＳ１４５）。
【０１０８】
送信された表示データは、電子黒板２ａのサーバ部９０の通信制御部９１によって受信される。電子黒板２ａのサーバ部９０の通信制御部９１は、電子黒板２ｃから表示データが送られて来る度、送られてきた表示データを電子黒板２ａ，２ｂ，２ｃの各クライアント部２０へ配信する。各電子黒板２ａ，２ｂ，２ｃのクライアント部２０では、電子黒板２ａから表示データが配信される度、配信された表示データを重畳画像として表示する（ステップＳ１４６乃至Ｓ１５６）。この処理は、上記のステップＳ８７乃至Ｓ９７の処理と同様であるので詳細な説明を省略する。配信された表示データは映像の各フレームの静止画データであるので、表示データを連続的に表示することにより、電子黒板２ａ，２ｂ，２ｃにおいて、ＰＣ８側の映像を再生することが可能となる。
【０１０９】
なお、通信アプリＡ１１により所定の形式の映像データを送信可能である場合には、電子黒板２ｃのクライアント部２０は、ＰＣ８から送られてきた映像データを所定の形式にエンコードして、電子黒板２ａのサーバ部９０へ送信しても良い。電子黒板２ａのサーバ部９０は、電子黒板２ｃから送られてきた所定の形式にエンコードされた映像データを電子黒板２ａ，２ｂ，２ｃのクライアント部２０へ配信する。電子黒板２ａ，２ｂ，２ｃのクライアント部２０は、サーバ部９０から送られてきた映像データをデコードして動画として再生しても良い。
【０１１０】
＜＜実施形態の主な効果＞＞
上記実施形態の通信制御方法によると、電子黒板２ｃ（通信端末の一例）のクライアント部２０の通信制御部２１（第１の通信制御手段の一例）は、電子黒板２ａのサーバ部９０（配信サーバの一例）を介した電子黒板２ｂ（第１の通信端末の一例）との間の通信を制御する（第１の通信制御処理）。電子黒板２ｃのクライアント部８０の通信制御部８１（第２の通信制御手段の一例）は、ＰＣ８（第２の通信端末の一例）との間の通信を制御する（第２の通信制御処理）。電子黒板２ｃの取得部２２Ｂ（取得手段の一例）は、通信制御部８１による通信においてＰＣ８との間で送信されるコンテンツデータを取得する（取得処理）。電子黒板２ｃの描画制御部２２の重畳部２２Ｙ（表示制御手段の一例）は、電子黒板２ａのサーバ部９０によって配信されるコンテンツデータに基づく画像の表示を制御する（表示制御処理）。電子黒板２ｃ（通信端末の一例）の通信制御部２１（第１の通信制御手段の一例）は、取得部２２Ｂによって取得されるコンテンツデータを電子黒板２ａのサーバ部９０へ送信する。上記実施形態では、クライアント部２０によって通信端末間で送信されるコンテンツデータ、及びクライアント部８０によって通信端末間で送信されるコンテンツデータの双方の表示をクライアント部２０側で制御できるようになる。即ち、上記実施形態によると、通信端末間で画像を共有するためのアプリＡ１１，Ｂ１０を複数起動しているときに、一方のアプリＡ１１により表示される画像が、他方のアプリＢ１０による表示の制御に伴って視認し難くなることを防ぐことが可能になる。
【０１１１】
電子黒板２ａのサーバ部９０によって配信されるコンテンツデータは、電子黒板２ｂによって送信されるストロークデータ（第１のコンテンツデータの一例）と、取得部２２Ｂによって取得され、電子黒板２ａのサーバ部９０へ送信される表示データ（第２のコンテンツデータの一例）とを含んでいる。重畳部２２Ｙは、ストロークデータ及び表示データを重畳して表示する制御を行う。これにより、ストロークデータと表示データを同時に視認することが可能となる。
【０１１２】
上記実施形態の変形例Ａによると、クライアント部２０，８０によって送信されるコンテンツデータは共にストロークデータであっても良い。これにより、クライアント部２０とクライアント部８０との間でストロークデータを直接送信できない場合でも、通信端末間でストロークデータを共有できるようになる。
【０１１３】
上記実施形態によると、クライアント部２０，８０によって送信されるコンテンツデータは異なっており、変換部２２Ｘ（変換手段の一例）は、クライアント部８０により送信される表示データをテキスト化することにより、クライアント部２０による通信において送信可能な形式に変換する。これにより、クライアント部２０，８０によって送信されるコンテンツデータは異なる場合でも、通信端末間でコンテンツデータを共有できるようになる。
【０１１４】
上記実施形態の変形例Ｃによると、クライアント部８０によって送信されるコンテンツデータは映像データである。この場合、変換部２２Ｘは、クライアント部８０によってＰＣ８との間で送信される映像データを、クライアント部２０による通信において送信可能な複数の静止画データにレンダリングすることで変換する。続いて、電子黒板２ａのサーバ部９０は、複数の静止画データを配信することで、配信先の電子黒板２では動画の再生が可能となる。
【０１１５】
電子黒板２ｃの変換部２２Ｘ（直列化手段の一例）は、電子黒板２ａのサーバ部９０へ送信するコンテンツデータをシリアライズ（直列化）する。また、電子黒板２ｃの変換部２２Ｘ（並列化手段の一例）は、電子黒板２ａのサーバ部９０により配信されるコンテンツデータをデシリアライズ（並列化）する。これにより、サーバ側でコンテンツデータを直列化及び並列化する負荷を低減することができる。
【０１１６】
電子黒板２ｃの通信制御部８１は、電子黒板２ａのサーバ部９０によって配信されるコンテンツデータをＰＣ８へ送信する。これにより、電子黒板２側のコンテンツデータをＰＣ８で共有することが可能となる。
【０１１７】
＜＜実施形態の補足＞＞
通信アプリＡ１１，Ｂ１０，Ｂ１１は、インストール可能な形式又は実行可能な形式のファイルによって、コンピュータで読み取り可能な記録媒体に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。また、上記記録媒体、あるいは、これらプログラムが記憶されたＨＤ(Hard Disk)は、プログラム製品(Program Product)として、国内又は国外へ提供可能である。
【０１１８】
また、上記実施形態における電子黒板２、ＰＣ８、中継装置３０、及び管理システム５０は、単一の装置によって構築されてもよいし、各部（機能又は手段）を分割して任意に割り当てられた複数の装置によって構築されていてもよい。
【０１１９】
また、上記では、画像共有可能な装置の一例として電子黒板２及びＰＣ８について説明したが、これに限るものではない。例えば、画像共有可能な装置として、上記の電子黒板２及びＰＣ８の有する各機能を搭載可能な他の装置を用いることもできる。他の装置としては、例えば、テレビ会議端末、プロジェクター、デジタルサイネージ、テキスト共有装置、カーナビゲーション端末、ゲーム機、ＰＤＡ（Personal Digital Assistant）、遠隔診断装置等が挙げられる。
【符号の説明】
【０１２０】
１  通信システム
２  電子黒板
３  ディスプレイ
４  電子ペン
５  ＵＳＢメモリ
６  ノートＰＣ
８  ＰＣ
９ａ，９ｂ  通信ネットワーク
２０  クライアント部
２１  通信制御部
２２  描画制御部
２２Ａ  ストローク処理部
２２Ｂ  取得部
２２Ｘ  変換部
２２Ｙ  重畳部
２２Ｚ  ページ処理部
２２０  ページデータ記憶部
３０  中継装置
５０  管理システム
８０  クライアント部
８１  通信制御部
８２  表示制御部
９０  サーバ部
９１  通信制御部
２０００  記憶部
８０００  記憶部
【先行技術文献】
【特許文献】
【０１２１】
【特許文献１】特開２０１５−７０３４５号公報
【図１】
2019079566.tif 000007
【図２】
2019079566.tif 000008
【図３】
2019079566.tif 000009
【図４】
2019079566.tif 000010
【図５】
2019079566.tif 000011
【図６】
2019079566.tif 000012
【図７】
2019079566.tif 000013
【図８】
2019079566.tif 000014
【図９】
2019079566.tif 000015
【図１０】
2019079566.tif 000016
【図１１】
2019079566.tif 000017
【図１２】
2019079566.tif 000018
【図１３】
2019079566.tif 000019
【図１４】
2019079566.tif 000020
【図１５】
2019079566.tif 000021
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
配信サーバを介した第１の通信端末との間の通信を制御する第１の通信制御手段と、
第２の通信端末との間の通信を制御する第２の通信制御手段と、
前記第２の通信制御手段による通信において前記第２の通信端末との間で送信されるコンテンツデータを取得する取得手段と、
前記配信サーバによって配信されるコンテンツデータに基づく画像の表示を制御する表示制御手段と、を有しており、
前記第１の通信制御手段は、前記取得手段によって取得される前記コンテンツデータを前記配信サーバへ送信し、
前記配信サーバによって配信されるコンテンツデータは、前記第１の通信端末によって送信された第１のコンテンツデータと、前記取得手段によって取得され、前記配信サーバへ送信された第２のコンテンツデータとを含んでおり、
前記表示制御手段は、前記第１のコンテンツデータ及び前記第２のコンテンツデータを重畳して表示する制御を行うことを特徴とする通信端末。
【請求項２】
前記第１のコンテンツデータ及び前記第２のコンテンツデータは、ストロークデータであることを特徴とする請求項１に記載の通信端末。
【請求項３】
前記第１のコンテンツデータ、及び前記第２のコンテンツデータは異なるコンテンツデータであり、
前記第２のコンテンツデータを、前記第１の通信制御手段による通信において送信可能な形式に変換する変換手段を有することを特徴とする請求項１に記載の通信端末。
【請求項４】
前記第２のコンテンツデータは映像データであり、
前記第２の通信制御手段による通信において前記第２の通信端末との間で送信される映像データを、前記第１の通信制御手段による通信において送信可能な複数の静止画データに変換する変換手段を有することを特徴とする請求項３に記載の通信端末。
【請求項５】
前記配信サーバへ送信するコンテンツデータを直列化する直列化手段と、
前記配信サーバにより配信されるコンテンツデータを並列化する並列化手段と、
を有することを特徴とする請求項１乃至４のいずれか一項に記載の通信端末。
【請求項６】
前記第２の通信制御手段は、前記配信サーバによって配信される前記コンテンツデータを前記第２の通信端末へ送信することを特徴とする請求項１乃至５のいずれか一項に記載の通信端末。
【請求項７】
前記第１の通信制御手段を有し、第１のアプリケーションを実行する第１のクライアント手段と、
前記第２の通信制御手段を有し、第２のアプリケーションを実行する第２のクライアント手段と、を有することを特徴とする請求項１乃至６のいずれか一項に記載の通信端末。
【請求項８】
前記第１の通信制御手段は、第１の通信ネットワーク及び前記配信サーバを介して前記第１の通信端末と通信し、
前記第２の通信制御手段は、第２の通信ネットワークを介して前記第２の通信端末と通信することを特徴とする請求項１乃至７のいずれか一項に記載の通信端末。
【請求項９】
請求項１乃至８のいずれか一項に記載の通信端末と、
前記第１の通信端末と、
前記第２の通信端末と、
前記配信サーバと、
を有することを特徴とする通信システム。
【請求項１０】
前記第１の通信端末は、前記第１の通信制御手段を有しており、
前記第２の通信端末は、前記第２の通信制御手段を有している
ことを特徴とする請求項９に記載の通信システム。
【請求項１１】
通信端末に、
配信サーバを介した第１の通信端末との間の通信を制御する第１の通信制御処理と、
第２の通信端末との間の通信を制御する第２の通信制御処理と、
前記第２の通信制御処理による通信において前記第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信し、
前記配信サーバによって配信されるコンテンツデータは、前記第１の通信端末によって送信された第１のコンテンツデータと、前記取得処理において取得され、前記配信サーバへ送信された第２のコンテンツデータとを含んでおり、
前記表示制御処理では、前記第１のコンテンツデータ及び前記第２のコンテンツデータを重畳して表示する制御を行うことを特徴とする通信制御方法。
【請求項１２】
通信端末に、
配信サーバを介した第１の通信端末との間の通信を制御する第１の通信制御処理と、
第２の通信端末との間の通信を制御する第２の通信制御処理と、
前記第２の通信制御処理による通信において前記第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信し、
前記配信サーバによって配信されるコンテンツデータは、前記第１の通信端末によって送信された第１のコンテンツデータと、前記取得処理において取得され、前記配信サーバへ送信された第２のコンテンツデータとを含んでおり、
前記表示制御処理では、前記第１のコンテンツデータ及び前記第２のコンテンツデータを重畳して表示する制御を行うことを特徴とするプログラム。
【請求項１３】
通信端末に、
配信サーバを介した第１の通信端末との間の通信を制御する第１の通信制御処理と、
第２の通信制御処理による通信において第２の通信端末との間で送信されるコンテンツデータを取得する取得処理と、
前記配信サーバによって配信されるコンテンツデータに基づく画像の表示を制御する表示制御処理と、を実行させ、
前記第１の通信制御処理において、前記取得処理によって取得される前記コンテンツデータを前記配信サーバへ送信し、
前記配信サーバによって配信されるコンテンツデータは、前記第１の通信端末によって送信された第１のコンテンツデータと、前記取得処理において取得され、前記配信サーバへ送信された第２のコンテンツデータとを含んでおり、
前記表示制御処理では、前記第１のコンテンツデータ及び前記第２のコンテンツデータを重畳して表示する制御を行うことを特徴とするプログラム。
【手続補正２】
【補正対象書類名】明細書
【補正対象項目名】０００５
【補正方法】変更
【補正の内容】
【０００５】
請求項１に係る発明の通信端末は、配信サーバを介した第１の通信端末との間の通信を制御する第１の通信制御手段と、第２の通信端末との間の通信を制御する第２の通信制御手段と、前記第２の通信制御手段による通信において前記第２の通信端末との間で送信されるコンテンツデータを取得する取得手段と、前記配信サーバによって配信されるコンテンツデータに基づく画像の表示を制御する表示制御手段と、を有しており、前記第１の通信制御手段は、前記取得手段によって取得される前記コンテンツデータを前記配信サーバへ送信し、前記配信サーバによって配信されるコンテンツデータは、前記第１の通信端末によって送信された第１のコンテンツデータと、前記取得手段によって取得され、前記配信サーバへ送信された第２のコンテンツデータとを含んでおり、前記表示制御手段は、前記第１のコンテンツデータ及び前記第２のコンテンツデータを重畳して表示する制御を行うことを特徴とする。